(57)【要約】  情報記録媒体及び情報記録媒体及びデータの記録及び／または再生方法が開示され、この情報記録媒体は、１層以上の情報面を有する情報記録媒体であって、情報記録媒体の全体または一部領域に情報が突出ピットで記録されるか、または引込ピットで記録され、突出ピットまたは引込ピットについての情報が記録されることを特徴とする。したがって、突出ピット及び引込ピットについての情報、すなわち、プッシュプル極性情報によってトラッキングを円滑に行える。
2007502510.tif 000002
【特許請求の範囲】
【請求項１】
１層以上の情報面を有する情報記録媒体であって、
前記情報記録媒体の全体または一部領域に情報が突出ピットで記録されるか、または引込ピットで記録され、前記突出ピットまたは引込ピットについてのトラッキング極性情報が記録されることを特徴とする情報記録媒体。
【請求項２】
前記突出ピットまたは引込ピットについての情報は、プッシュプル極性情報であることを特徴とする請求項１に記載の情報記録媒体。
【請求項３】
前記突出ピットまたは引込ピットについての情報は、フレームシンクまたはフレームシンクの前側に記録されることを特徴とする請求項１に記載の情報記録媒体。
【請求項４】
前記情報記録媒体は、ＢＣＡ領域を含み、前記突出ピットまたは引込ピットについての情報が前記ＢＣＡに記録されることを特徴とする請求項１に記載の情報記録媒体。
【請求項５】
前記情報記録媒体は、リードイン領域を含み、前記突出ピットまたは引込ピットについての情報が前記リードイン領域に記録されることを特徴とする請求項１に記載の情報記録媒体。
【請求項６】
前記突出ピットまたは引込ピットは、ウォッブリングピットで形成されたことを特徴とする請求項１に記載の情報記録媒体。
【請求項７】
前記ウォッブリングピットのウォッブルに付加情報が記録されることを特徴とする請求項６に記載の情報記録媒体。
【請求項８】
前記付加情報は、位相変調方式、周波数変調方式、振幅変調方式のうち少なくとも何れか一つの変調方式によって記録されることを特徴とする請求項７に記載の情報記録媒体。
【請求項９】
前記ウォッブリングピットで記録された情報は、サムチャンネルを利用して再生され、前記付加情報は、プッシュプルチャンネルを利用して再生されることを特徴とする請求項７に記載の情報記録媒体。
【請求項１０】
前記プッシュプル極性データと前記突出ピットまたは引込ピットから再生されたデータとの排他論理和によってデータが復号化されることを特徴とする請求項２に記載の情報記録媒体。
【請求項１１】
前記プッシュプル極性情報によって前記突出ピットまたは引込ピットから再生されたデータを、直接復号データとして出力するか、または反転させた復号データとして出力することを特徴とする請求項２に記載の情報記録媒体。
【請求項１２】
クランピング領域、ＢＣＡ領域、リードイン領域、ユーザデータ領域及びリードアウト領域をさらに含むことを特徴とする請求項１に記載の情報記録媒体。
【請求項１３】
トラッキング極性情報は、リードイン領域に記録されることを特徴とする請求項１２に記載の情報記録媒体。
【請求項１４】
トラッキング極性情報は、ＢＣＡ領域に記録されることを特徴とする請求項１２に記載の情報記録媒体。
【請求項１５】
前記データは、トラッキング極性情報に対して排他論理和の作用及びピットから再生されたデータを利用して復号化されることを特徴とする請求項１に記載の情報記録媒体。
【請求項１６】
前記トラッキング極性情報を利用してピットから再生されたデータが復号かされたデータとして直ぐ出力されるか、またはデータの極性が反転された後に復号化されたデータとして出力されることを特徴とする請求項１５に記載の情報記録媒体。
【請求項１７】
データがトラッキング極性情報を得るためにトレール及びエラーなしに信頼可能に記録または再生されるように、プッシュプル極性情報が記録されることを特徴とする請求項２に記載の情報記録媒体。
【請求項１８】
少なくとも一つの情報面が備えられた情報記録媒体に情報を記録及び／または再生する方法において、
前記情報記録媒体の全体または一部領域に情報を突出ピットまたは引込ピットで記録するステップと、
前記情報記録媒体の所定領域に突出ピットまたは引込ピットについてのトラッキング極性情報を記録するステップと、を含むことを特徴とする方法。
【請求項１９】
前記突出ピットまたは引込ピットについての情報は、プッシュプル極性情報であることを特徴とする請求項１８に記載の情報記録媒体。
【請求項２０】
前記プッシュプル極性情報を再生するステップと、
再生されたプッシュプル極性情報に基づいてトラッキングを行って情報記録媒体に／からデータを記録／再生するステップと、を含むことを特徴とする請求項１８に記載の方法。
【請求項２１】
前記突出ピットまたは引込ピットについての情報がフレームシンクまたはフレームシンクの前方に記録されることを特徴とする請求項１８に記載の方法。
【請求項２２】
前記情報記録媒体は、ＢＣＡ領域を含み、前記突出ピットまたは引込ピットについての情報を前記ＢＣＡに記録することを特徴とする請求項１８に記載の方法。
【請求項２３】
前記情報記録媒体は、前記突出ピットまたは引込ピットについての情報を記録するためにリードイン領域を含むことを特徴とする請求項１８に記載の方法。
【請求項２４】
前記突出ピットまたは、引込ピットがウォッブリングピットで形成されたことを特徴とする請求項１８に記載の方法。
【請求項２５】
付加情報は、ウォッブリングピットのウォッブルに記録されることを特徴とする請求項２０に記載の方法。
【請求項２６】
前記付加情報は、位相変調方式、周波数変調方式及び振幅変調方式のうち少なくとも一つを利用して記録されることを特徴とする請求項２５に記載の方法。
【請求項２７】
前記ウォッブリングピットで記録された情報は、サムチャンネルを利用して再生され、ウォッブルに記録された付加情報がプッシュプルチャンネルを利用して再生されることを特徴とする請求項２５に記載の方法。
【請求項２８】
前記プッシュプル極性データと前記突出ピットまたは引込ピットから再生されたデータとの排他論理和によってデータを復号化するステップを含むことを特徴とする請求項１８に記載の方法。
【請求項２９】
前記プッシュプル極性情報によって、前記突出ピットまたは引込ピットから再生されたデータを直接復号データとして出力するか、または反転させた復号データとして出力することを特徴とする請求項１８に記載の方法。
【請求項３０】
情報記録媒体に記録されたデータを再生する装置において、
突出ピットまたは引込ピットについての情報がプッシュプル極性情報として記録された情報記録媒体にビームを照射するピックアップ部と、
前記ピックアップ部を通じて受けた前記プッシュプル極性情報からデータ信号を処理する再生信号処理部と、
前記再生信号処理部を通じて受けた信号を利用して、前記ピックアップを制御する制御部と、を備えることを特徴とする装置。
【発明の詳細な説明】
【技術分野】
【０００１】
本発明は、ピット形状によるトラッキング極性情報が記録された光情報記録媒体及びデータの記録及び／または再生方法に関する。
【背景技術】
【０００２】
一般的に、光情報記録媒体は、情報記録容量によってコンパクトディスク（ＣＤ）、デジタル多機能ディスク（ＤＶＤ）に区分される。ここに、ディスクの直径が６５ｍｍ以下であるミニディスク（ＭＤ）がさらに追加されうる。さらに、２０ＧＢ以上の容量を有するディスクが開発されている。
【０００３】
このような光ディスクは、再び読み取り専用ディスクと再記録可能ディスクとに細分されうる。読み取り専用ディスクとしては、ＣＤ−ＲＯＭ（リードオンリメモリ）、ＤＶＤ−ＲＯＭがあり、記録可能ディスクとしては、ＣＤ±Ｒ／ＲＷ、ＤＶＤ±Ｒ／ＲＷ、ＤＶＤ−ＲＡＭ（ランダムアクセスメモリ）がある。ＣＤ−Ｒ及びＤＣＤ−Ｒは、１回記録のみが可能であり、ＣＤ−ＲＷ及びＤＶＤ−ＲＷは、約１０００回記録及び／または再生が可能であり、ＤＶＤ−ＲＡＭは、数十万回の記録及び／または再生が可能である。
【０００４】
一般的に、再生専用ディスクや１回記録型ディスクには、ピットでデータが記録されており、反復記録可能型ディスクには、相変化物質が塗布されていて、相変化によってデータが記録される。
【０００５】
光ディスクの記録及び／または再生装置に備えられたピックアップは、ユーザデータが記録されたトラックを正確に追従して、トラックから反射されたレーザビームを受光することによってユーザデータを読み出す。ピックアップがトラックを追従するために使われる信号をトラッキング信号と称す。トラッキング信号は、レーザビームが複数個に分割された受光部を有するフォトダイオードから受光された後、各受光部に受光された光から得られた信号を加算または減算することによって得られる。トラッキング信号は、中心を基準として左右の極性が相互逆であるＳ字曲線形態を帯びる。
【０００６】
トラッキング信号の極性は、光ディスクの種類、すなわち、記録層の物理的特性、例えば、ピットの物理的形状、トラックの物理的形状によって変わる。例えば、図１Ａ及び図１Ｂは、グルーブトラックＧとランドトラックＬとが相互逆に配列されて形成された場合に対比して示した図である。図１Ａでは、トラッキング信号が（＋）から（−）に変化する一方、図１Ｂでは、トラッキング信号が（−）から（＋）に変化する。このように、トラッキング信号の極性は、２種類に区分されるところ、一つは、（−）から（＋）に変化し、他の一つは、（＋）から（−）に変化する。しかし、トラッキング信号の極性によって、トラッキング信号処理が変わる。したがって、トラッキング極性が異なる場合に再生されたデータが正常的に認識されない可能性もある。これにより、記録及び／または再生装置は、光ディスクがローディングされれば、試行錯誤を通じてトラッキング信号の極性を把握した後、把握された極性情報に基づいてユーザデータが記録されたトラックを追従してユーザデータを読み込む。
【０００７】
したがって、従来の再生装置は、ユーザデータを読み込む前にトラッキング信号の極性情報を得るための時間を必要とし、これは、ユーザデータの直時再生が遅延される原因の一つとなっている。
【０００８】
トラッキング極性が変わる要因のうち一つがピットの物理的形状である。ディスクごとにピットの物理的形状を異ならせて形成できるが、従来には、ピットの物理的形状によるトラッキング極性情報が別途に記録されていないため、データの記録及び／または再生に対する信頼性が低下し、前述したように、試行錯誤過程を経てトラッキング極性についての情報を得るための時間がかかるため、記録及び／または再生時間が遅延されるという問題点がある。
【発明の開示】
【発明が解決しようとする課題】
【０００９】
本発明は、前記問題点を解決するために案出されたものであって、ピット形状によるトラッキング極性情報、特に、プッシュプル極性情報が記録された光情報記録媒体及びデータの記録及び／または再生方法を提供することを目的とする。
【課題を解決するための手段】
【００１０】
前記目的を達成するために、１層以上の情報面を有する情報記録媒体であって、前記情報記録媒体の全体または一部領域に情報が突出ピットで記録されるか、または引込ピットで記録され、前記突出ピットまたは引込ピットについての情報が記録されることを特徴とする。
【００１１】
前記突出ピットまたは引込ピットについての情報は、プッシュプル極性情報であることを特徴とする。前記突出ピットまたは引込ピットについての情報は、フレームシンクまたはフレームシンクの前方に記録されることを特徴とする。
【００１２】
前記情報記録媒体は、ＢＣＡ（バーストカッティングエリア）領域とリードイン領域とを含み、前記突出ピットまたは引込ピットについての情報が前記ＢＣＡまたはリードイン領域に記録されうる。
【００１３】
前記突出ピットまたは引込ピットは、ウォッブリングピットで形成されうる。
【００１４】
前記プッシュプル極性データと前記突出ピットまたは引込ピットから再生されたデータとの排他論理和によってデータが復号化されることを特徴とする。
【００１５】
前記目的を達成するために、本発明によるデータの記録及び／または再生方法は、少なくとも一つの情報面が備えられた情報記録媒体に情報を記録及び／または再生する方法において、前記情報記録媒体の全体または一部領域に情報を突出ピットまたは引込ピットで記録するステップと、前記突出ピットまたは引込ピットについての情報を記録するステップとを含むことを特徴とする。
【００１６】
前記方法は、前記突出ピットまたは引込ピットについての情報を再生するステップと、再生されたプッシュプル極性情報に基づいてトラッキングを行って情報記録媒体に／からデータを記録／再生するステップとを含む。
【００１７】
本発明の付加的な面及び／または長所は、後述する説明で部分的に記述され、部分的に前記説明から明確になり、または本発明の実施によって教習されうる。
【発明を実施するための最良の形態】
【００１８】
本発明による実施形態について、添付された図に示された例を参照して詳細に説明し、全体的に類似した参照番号は、類似した要素を表す。実施形態は、図を参照することによって本発明を説明するように、以下に説明される。
【００１９】
本発明による光情報記録媒体は、データが、図２Ａに示したように、基板５に突出ピット１０に記録されるか、または図２Ｂに示したように、引込ピット１３に記録され、突出ピット１０または引込ピット１３についての情報が記録される。
【００２０】
突出ピット１０または引込ピット１３についての情報は、例えば、トラッキング極性情報でありうる。データが突出ピット１０で記録されているとき、トラッキング信号が（＋）から（−）に変わる極性を有しうる。また、データが引込ピット１３に記録されている時、トラッキング信号が（−）から（＋）に変わる極性を有しうる。このように、ピット形状によってトラッキング信号の極性が異なるため、トラッキング信号処理も異ならせて行われねば、データが正常的に記録または再生できない。
【００２１】
まず、トラッキング信号特性を調べるために、シミュレーションした結果を示した。ここで、シミュレーション条件は、次の通りである。
【００２２】
【表１】
2007502510.tif 000003
表１で、ＲＬＬ変調方式は、１ビットと１ビットとの間に０ビットが幾つであるかによる変調方式を表すものであって、ＲＬＬ（ｍ,ｋ）は、１ビットと１ビットとの間の０ビットの数が最小（ｍ）個であり、最大（ｋ）個であることを意味する。例えば、ＲＬＬ（１,７）は、１ビットと１ビットとの間の０ビットの数が１〜７個である方式を表す。この変調方式によれば、ｍ＝１であるとき、（１０１０１０１）のデータが記録され、１ビットと１ビットとの間に２Ｔの長さを有する。また、ｍ＝７であるとき、（１０００００００１０００００００１）のデータが記録され、１ビットと１ビットとの間に８Ｔの長さを有する。ここで、Ｔは、最小マーク、すなわち、最小ピット長を表す。したがって、ＲＬＬ（１,７）変調方式では、データが（２Ｔ−８Ｔ）の長さを有するピット及びスペースで記録される。
【００２３】
図３Ａは、データが突出ピット１０で記録されているとき、ＲＦ（無線周波数）信号及びＤＰＤ（ディファレンシャルフェーズダイオード）信号を表したものであり、図３Ｂは、データが引込ピット１３に記録されているとき、ＲＦ信号及びＤＰＤ信号を表すものである。図３Ａ及び図３Ｂによれば、ＤＰＤ信号は、ピット形状によって極性が変わらない。
【００２４】
一方、図４Ａは、データが突出ピット１０で記録されているとき、プッシュプル信号を示す図であり、図４Ｂは、データが引込ピット１３で記録されているとき、プッシュプル信号を示す図である。図４Ａ及び図４Ｂによれば、プッシュプル信号は、ピット形状によって極性が変わることが分かる。したがって、プッシュプル信号によって情報を再生するか、またはトラッキングを具現する場合に、ピット形状によるトラッキング極性情報を記録する必要がある。したがって、トラッキング極性情報は、特にプッシュプル極性情報でありうる。
【００２５】
次いで、トラッキング極性情報を記録する方法について説明する。
【００２６】
本発明の一実施形態による光情報記録媒体は、図５に示したように、複数のデータフレーム１５及びトラッキング極性情報、すなわち、プッシュプル極性情報を含む。前記プッシュプル極性情報は、所定数のデータフレームを含む区間の前に備えられたフレームシンク１４にシンクパターンで記録されうる。前記シンクパターンは、ユーザデータパターンに使われないパターンや、特定ビットの組合わせで構成されたパターンを含みうる。シンクパターンの一例が、図５に示されている。
【００２７】
例えば、前記シンクパターンは、同じデータが反復記録されるパターンを有することによって、トラッキング極性情報を表すことができる。例えば、“１”が連続的に読出される場合には、データが突出ピットで記録されたことであり、“０”が連続的に読出される場合には、データが引込ピットで記録されたことを表す。
【００２８】
または、特定パターンのシンクパターンを使用して、トラッキング極性情報、すなわち、プッシュプル極性情報を記録できる。例えば、図６Ａに示したように、フレームシンク１３に“０１０”というデータが記録されていれば、このデータは、（＋）から（−）に変わる極性を表すとき、トラッキング後“１０１”というデータが再生されれば、トラッキング信号の極性を逆に処理することによって、データを正常的に再生できる。図６Ａでは、トラッキング極性情報がフレームシンク１４に記録された例を示したが、図６Ｂに示したように、フレームシンク１４の前側にある所定領域１２に記録されてもよい。このように、トラッキング極性情報をフレームシンク１４の一部領域を利用して記録するか、またはフレームシンク以外の別途領域に記録してもよい。
【００２９】
図７Ａは、本発明の他の実施形態による情報記録媒体の概略図である。
【００３０】
前記情報記録媒体は、クランピング領域Ｃ、ＢＣＡ領域Ｂ、リードイン領域ＬＩ、ユーザデータ領域Ｕ及びリードアウト領域ＬＯを含む。前記クランピング領域Ｃは、ディスクをクランピングするためのクランピング器具によって加圧される領域を称す。
【００３１】
ここで、トラッキング極性情報が前記ＢＣＡ領域Ｂに記録されうる。それと共に、ＢＣＡ領域Ｂには、ディスクについての固有情報、すなわち、一連番号、製造年月日がさらに記録されうるが、それは選択的である。一方、図７Ａでは、前記ＢＣＡ領域Ｂが前記クランピング領域Ｃとリードイン領域ＬＩとの間に備えられる場合を示したが、図７Ｂに示したように、前記クランピング領域Ｃの前方に備えられてもよい。
【００３２】
前記ＢＣＡ領域Ｂにトラッキング極性情報が記録される場合には、ディスクがドライブに装着されてフォーカシングされた後、トラッキングする前に前記トラッキング極性情報を読み取れるため、トラッキングサーボの具現が非常に効率的になされうる。
【００３３】
一方、トラッキング極性情報が前記ＢＣＡ領域Ｂの代りに、リードイン領域ＬＩに記録されてもよい。
【００３４】
図８Ａは、記録可能な情報記録媒体のレイアウトを示す図であって、前記記録可能な情報記録媒体の一部領域、例えば、リードイン領域またはリードアウト領域にデータがピットで記録されうる。このピット形状についての情報、すなわち、トラッキング極性情報がリードイン領域に記録され、望ましくは、ディスク関連情報領域に記録されうる。
【００３５】
また、図８Ｂは、再生専用の情報記録媒体のレイアウトを示す図であって、前記トラッキング極性情報がリードイン領域に備えられたディスク関連情報領域に記録されうる。ここで、トラッキング極性情報は、プッシュプル極性情報を含む。
【００３６】
情報がピットによって記録されるとき、例えば、図９Ａに示したように、ピットが一列に配列されたストレートピットで記録されるか、または図９Ｂに示したように、ピットがウェーブ状に配列されたウォッブリングピットで記録されうる。情報がストレートピットで記録された場合には、ピットで記録された情報をサムチャンネルを利用して再生する一方、トラッキング制御は、ＤＰＤまたはプッシュプルによって可能である。プッシュプルによってトラッキング制御を行う場合には、トラッキング極性についての情報、すなわち、プッシュプル極性情報が必要である。
【００３７】
特に、情報がウォッブリングピットで記録された場合には、ピット自体に情報が記録されると共に、ウォッブルに付加情報が記録されうる。ここで、ウォッブリングピット自体による情報は、サムチャンネルを利用して再生され、ウォッブルに記録された付加情報は、プッシュプルチャンネルを利用して再生されうる。
【００３８】
ウォッブリングピットは、同じ長さを有するピット及びスペースからなる単一パターンを有しうる。このような単一パターンの場合には、ピット自体には情報がなく、ウォッブルに情報が記録されうる。このとき、ウォッブリングピットの情報再生チャンネルとしてプッシュプルチャンネルが使われうる。
【００３９】
前記ウォッブリングピットによって情報を記録する場合、多様な変調方式によってデータが記録されうる。例えば、位相変調方式、周波数変調方式及び振幅変調方式のうち、少なくとも一つの方式を採択して情報を記録できる。
【００４０】
次いで、本発明の他の実施形態による光情報記録媒体は、図１０を参照するに、トラッキング極性情報を所定のデータフレームの前方に記録し、このトラッキング極性情報と共に読出されたデータを排他論理和を使用して同じデータとして復号化する。ここで、トラッキング極性情報がフレームシンクに記録されてもよい。
【００４１】
例えば、同じ情報がそれぞれ突出ピットと引込ピットとによって記録された場合に、排他論理和を使用して復号化する方法を説明する。まず、突出ピットに対してトラッキングするとき、例えば、トラッキング極性情報が“０”で読出され、データが“１１００１．．．”で読出される。そして、同じ情報が引込ピットで記録されたとき、引込ピットについてのトラッキング極性情報が“１”で読出され、データが“００１１０．．．”で読出される。図１１Ａを参照するに、例えば、引込ピットに対してトラッキング極性情報がデータ“０”で記録され、第ｎデータフレームから検出されたデータが“１１００１．．．”であるとき、トラッキング極性データと前記データフレームからのデータとの排他論理和によって復号されたデータは、“１１００１．．．”で現れる。
【００４２】
また、図１１Ｂを参照するに、突出ピットに対してトラッキング極性情報がデータ“１”で記録され、ｎ番目のデータフレームから検出されたデータが“００１１０．．．”であるとき、トラッキング極性データとデータフレームからのデータとの排他論理和によって復号されたデータは“１１００１．．．”で現れる。
【００４３】
このように、トラッキング極性データとピットから再生されたデータとの排他論理和によってデータを復号化することによって、突出ピットであるか引込ピットであるかに関係なく、データの正常的な再生及び復元が可能になる。また、復号されるデータを別途の制御動作の変動なしに得られる。
【００４４】
一方、トラッキング極性情報、すなわち、プッシュプル極性情報を選択信号として使用して読出されたデータを直ぐ復号データとして出力させるか、または反転させて復号データとして出力させうる。すなわち、トラッキング極性情報が所定のパターンで決定され、読出されたトラッキング極性情報が前記所定のパターンと同一であれば、データがそのまま復号化される一方、トラッキング極性情報が所定のパターンと異なれば、データ信号の極性が反転されて復号化される。
【００４５】
本発明による情報記録媒体は、情報面が１層である場合だけでなく、２層以上の情報面を有する多層情報記録媒体にも適用されうる。
【００４６】
図１２は、本発明の一実施形態によるデータの記録及び／または再生方法を示すフローチャートである。図１２を参照するに、ディスクドライブに情報記録媒体がローディングされれば（ステップ５０）、ディスクドライブに備えられた光ピックアップは、トラッキング極性情報、すなわち、プッシュプル極性情報を読み取る（ステップ５５）。ここで、トラッキング極性情報は、前述した実施形態によって記録され、前記トラッキング極性情報に基づいてトラッキング信号を検出したり、データを記録及び／または再生する。
【００４７】
トラッキング極性は、図２Ａ及び図２Ｂを参照して説明した突出ピット１０と引込ピット１３とによって変わるので、トラッキング極性情報によってトラッキング信号処理が変わる。例えば、前記ＢＣＡ領域Ｂにトラッキング極性情報が記録される場合には、ディスクドライブに情報記録媒体がローディングされた後、フォーカシング制御がなされ、データを読み取る前にＢＣＡ領域Ｂからトラッキング極性情報を読み取るため、トラッキング制御及び情報再生が信頼可能になる。
【００４８】
ディスクドライブは、再生されたトラッキング極性情報、すなわち、プッシュプル極性情報に基づいて試行錯誤なしに直ぐトラッキング制御を行ってデータ領域に／からデータを記録／再生する（ステップ６０）。すなわち、光ピックアップは、読出されたトラッキング極性情報をディスクドライブに提供し、ディスクドライブは、提供された情報に基づいて光ピックアップを制御して情報記録媒体に／からデータを記録／再生する。
【００４９】
一方、トラッキング極性データとピットから再生されたデータとの排他論理和によってデータを復号化しうる。それにより、トラッキング極性に関係なく、データを復号化しうる。
【００５０】
または、トラッキング極性情報によって再生されたデータを直ぐ復号データとして出力させるか、または反転させて復号データとして出力させうる。すなわち、トラッキング極性情報が所定のパターンで決定され、読出されたトラッキング極性情報が前記所定のパターンと同一であれば、データをそのまま復号化する一方、トラッキング極性情報が所定のパターンと異なれば、データ信号の極性を反転させて復号化する。
【００５１】
次いで、図１３は、本発明による情報記録媒体の記録／再生装置を概略的に示す図である。
【００５２】
本発明による記録／再生システムは、ピックアップ部５０、記録／再生信号処理部６０及び制御部７０を備えて構成される。さらに具体的には、記録／再生システムは、光を照射するレーザダイオード５１、レーザダイオード５１から照射される光を平行にするコリメーティングレンズ５２、入射光の進行経路を変換するビームスプリッタ５４、ビームスプリッタ５４を通過した光を情報記録媒体Ｄに集束させる対物レンズ５６を備える。
【００５３】
前記情報記録媒体Ｄから反射された光がビームスプリッタ５４によって反射されて光検出器、例えば、４分割光検出器５７に受光される。光検出器５７に受光された光は、演算回路部５８を経て電気信号に変換されてＲＦ信号、すなわち、サム信号として検出されるチャンネル１
Ｃｈ１とプッシュプル方式で信号を検出する差動信号チャンネルＣｈ２とに出力される。
【００５４】
制御部７０では、情報記録媒体がローディングされれば、ピックアップ部５０を通じてビームを照射し、情報記録媒体から読出される信号を信号処理部６０を通じて読み取る。このとき、前記情報記録媒体Ｄから反射されたビームが対物レンズ５６とビームスプリッタ５４とを通じて光検出器５７に入力される。光検出器５７に入力された信号は、演算回路部５８によって電気信号に変換されてＲＦ信号として出力される。
【００５５】
信号処理部６０では、情報記録媒体から読出されたトラッキング極性情報によって、データ信号を処理する。制御部７０は、信号処理部６０によって処理されたデータを利用してピックアップ部５０を制御する。
【産業上の利用可能性】
【００５６】
本発明による情報保存媒体において、突出ピット及び引込ピットについてのトラッキング極性情報（すなわち、プッシュプル極性情報）を記録することによって、トラッキング極性情報を得るための試行錯誤を経ずに直ぐ、そして信頼性あるようにデータを記録／再生できる。また、データをピットで記録するとき、ピットの形状を製造方法によって引込ピットまたは突出ピットに多様に形成できる。
【図面の簡単な説明】
【００５７】
【図１Ａ】グルーブトラック及びランドトラックによるトラッキング極性を示す図である。
【図１Ｂ】グルーブトラック及びランドトラックによるトラッキング極性を示す図である。
【図２Ａ】本発明の実施形態による情報記録媒体の基板に突出ピットが形成された例を示す図である。
【図２Ｂ】本発明の実施形態による情報記録媒体の基板に引込ピットが形成された例を示す図である。
【図３Ａ】データが突出ピットで形成された情報記録媒体で、経時的なＤＰＤ信号及びＲＦ信号の変化を示すグラフである。
【図３Ｂ】データが引込ピットで形成された情報記録媒体で、経時的なＤＰＤ信号及びＲＦ信号の変化を示すグラフである。
【図４Ａ】データが突出ピットで形成された情報記録媒体で、経時的なプッシュプル信号の変化を示すグラフである。
【図４Ｂ】データが引込ピットで形成された情報記録媒体で、経時的なプッシュプル信号の変化を示すグラフである。
【図５】本発明の第１実施形態による情報記録媒体にトラッキング極性情報がシンクパターンで記録された例を示す図である。
【図６Ａ】本発明の一実施形態による情報記録媒体にトラッキング極性情報が特定パターンでフレームシンクまたはフレームシンクの前方に記録された例を示す図である。
【図６Ｂ】本発明の一実施形態による情報記録媒体にトラッキング極性情報が特定パターンでフレームシンクまたはフレームシンクの前方に記録された例を示す図である。
【図７Ａ】本発明の他の実施形態による情報記録媒体のレイアウトを示す図である。
【図７Ｂ】本発明の他の実施形態による情報記録媒体のレイアウトを示す図である。
【図８Ａ】記録可能な情報記録媒体の情報領域の概略的な構造である。
【図８Ｂ】再生専用の情報記録媒体の情報領域の概略的な構造である。
【図９Ａ】ストレートピット列を示す図である。
【図９Ｂ】ウォッブリングピット列を示す図である。
【図１０】本発明の第３実施形態による情報記録媒体で、トラッキング極性情報が記録された例を示す図である。
【図１１Ａ】本発明の第３実施形態による情報記録媒体で、トラッキング極性データとデータフレームで検出されたデータとの排他論理和によって復号化する方法を説明するための図である。
【図１１Ｂ】本発明の第３実施形態による情報記録媒体で、トラッキング極性データとデータフレームで検出されたデータとの排他論理和によって復号化する方法を説明するための図である。
【図１２】本発明の一実施形態によるデータの記録及び／または再生方法を示すフローチャートである。
【図１３】本発明によるデータの記録及び／または再生装置を概略的に示す図である。
【図１Ａ】
2007502510.tif 000004
【図１Ｂ】
2007502510.tif 000005
【図２Ａ】
2007502510.tif 000006
【図２Ｂ】
2007502510.tif 000007
【図３Ａ】
2007502510.tif 000008
【図３Ｂ】
2007502510.tif 000009
【図４Ａ】
2007502510.tif 000010
【図４Ｂ】
2007502510.tif 000011
【図５】
2007502510.tif 000012
【図６Ａ】
2007502510.tif 000013
【図６Ｂ】
2007502510.tif 000014
【図７Ａ】
2007502510.tif 000015
【図７Ｂ】
2007502510.tif 000016
【図８Ａ】
2007502510.tif 000017
【図８Ｂ】
2007502510.tif 000018
【図９Ａ】
2007502510.tif 000019
【図９Ｂ】
2007502510.tif 000020
【図１０】
2007502510.tif 000021
【図１１Ａ】
2007502510.tif 000022
【図１１Ｂ】
2007502510.tif 000023
【図１２】
2007502510.tif 000024
【図１３】
2007502510.tif 000025
【国際調査報告】
2007502510.tif 000026